(57)【要約】【課題】非常用照明装置の点検を容易化すること。【解決手段】照明システム１００は、非常用照明装置１０、端末２０と、サーバ３０とを有する。非常用照明装置１０は、充電可能な非常用電源を有し、非常用電源の点検結果を送信する。端末２０は、非常用照明装置１０から送信された点検結果を受信し、受信した点検結果を送信する。サーバ３０は、端末２０から送信された点検結果を受信し、受信した点検結果を分析して、非常用照明装置１０が有する非常用電源の状態を判断する。【選択図】図１
2018055797.tif 000002
【特許請求の範囲】
【請求項１】
充電可能な非常用電源を有し、前記非常用電源の点検結果を送信する照明装置と、
前記照明装置から送信された前記点検結果を受信し、受信した前記点検結果を送信する端末と、
前記端末から送信された前記点検結果を受信し、受信した前記点検結果を分析して前記非常用電源の状態を判断するサーバと、
を具備することを特徴とする照明システム。
【請求項２】
前記サーバは、判断した前記状態を前記端末へ通知する、
ことを特徴とする請求項１に記載の照明システム。
【発明の詳細な説明】
【技術分野】
【０００１】
本発明の実施形態は、照明システムに関する。
【背景技術】
【０００２】
従来、非常時に非常用電源を用いて点灯する照明装置である「非常用照明装置」が提供されている。
【先行技術文献】
【特許文献】
【０００３】
【特許文献１】特開２００４−１８５９７８号公報
【発明の概要】
【発明が解決しようとする課題】
【０００４】
非常用照明装置は定期的に点検を行うことが求められる。非常用照明装置の定期的な点検は、点検が煩雑になり点検者等の負担を増大させる。
【０００５】
本発明は、非常用照明装置の点検を容易化することを目的とする。
【課題を解決するための手段】
【０００６】
本実施形態の照明システムは、照明装置と、端末と、サーバとを有する。照明装置は、充電可能な非常用電源を有し、非常用電源の点検結果を送信する。端末は、照明装置から送信された点検結果を受信し、受信した点検結果を送信する。サーバは、端末から送信された点検結果を受信し、受信した点検結果を分析して非常用電源の状態を判断する。
【発明の効果】
【０００７】
本発明によれば、非常用照明装置の点検を容易化できる。
【図面の簡単な説明】
【０００８】
【図１】図１は、実施形態に係る照明システムの構成例を示す図である。
【図２】図２は、実施形態に係る非常用照明装置の構成例を示す図である。
【図３】図３は、実施形態に係るサーバの構成例を示す図である。
【図４】図４は、実施形態に係る照明システムの処理シーケンスの一例を示す図である。
【図５】図５は、実施形態に係るステータスリストの一例を示す図である。
【図６】図６は、実施形態に係るステータスリストの一例を示す図である。
【図７】図７は、実施形態に係る非常用照明装置の構造例を示す図である。
【図８】図８は、実施形態に係る点検スケジュールの一例を示す図である。
【発明を実施するための形態】
【０００９】
以下で説明する実施形態に係る照明システム１００は、非常用照明装置１０、端末２０と、サーバ３０とを有する。非常用照明装置１０は、充電可能な非常用電源４を有し、非常用電源４の点検結果を送信する。端末２０は、非常用照明装置１０から送信された点検結果を受信し、受信した点検結果を送信する。サーバ３０は、端末２０から送信された点検結果を受信し、受信した点検結果を分析して非常用電源４の状態を判断する。
【００１０】
また、以下で説明する実施形態に係る照明システム１００において、サーバ３０は、判断した非常用電源４の状態を端末２０へ通知する。
【００１１】
［実施形態］
＜照明システムの構成＞
図１は、実施形態に係る照明システムの構成例を示す図である。図１において、照明システム１００は、非常用照明装置１０Ａ，１０Ｂ，１０Ｃ，１０Ｄ，１０Ｅと、端末２０と、サーバ３０とを有する。端末２０は、非常用照明装置１０Ａ，１０Ｂ，１０Ｃ，１０Ｄ，１０Ｅの点検者が所持する携帯端末であり、例えば、スマートフォンやタブレット端末等の携帯端末である。図１に示す状態では、非常用照明装置１０Ａが「マスター」であり、非常用照明装置１０Ｂ，１０Ｃ，１０Ｄ，１０Ｅが「スレーブ」である。
【００１２】
非常用照明装置１０Ａ，１０Ｂ，１０Ｃ，１０Ｄ，１０Ｅは、施設内に所定の間隔で設置されており、例えば災害が発生した場合や商用電源４０が喪失した場合等の非常時に、非常用電源４を用いて施設内を照明する。非常用照明装置１０Ａ，１０Ｂ，１０Ｃ，１０Ｄ，１０Ｅの各々には、各々を一意に識別可能な「照明装置ＩＤ」が付されている。非常用照明装置１０Ａは、非常用ランプ１Ａと、無線通信モジュール２Ａとを有する。非常用照明装置１０Ｂは、非常用ランプ１Ｂと、無線通信モジュール２Ｂとを有する。非常用照明装置１０Ｃは、非常用ランプ１Ｃと、無線通信モジュール２Ｃとを有する。非常用照明装置１０Ｄは、非常用ランプ１Ｄと、無線通信モジュール２Ｄとを有する。非常用照明装置１０Ｅは、非常用ランプ１Ｅと、無線通信モジュール２Ｅとを有する。非常用照明装置１０Ａ，１０Ｂ，１０Ｃ，１０Ｄ，１０Ｅは同一の構成を採る。
【００１３】
例えば、無線通信モジュール２Ａと、無線通信モジュール２Ｂ，２Ｃ，２Ｄ，２Ｅの各々との間では、ZigBee（登録商標）の規格に従った通信方式で無線通信Ｃ１１，Ｃ１２，Ｃ１３，Ｃ１４が行われる。一方で、無線通信モジュール２Ａと端末２０との間では、ＢＬＥ（Bluetooth（登録商標）  Low  Energy）の規格に従った通信方式で無線通信Ｃ２が行われる。無線通信モジュール２Ａ〜２Ｅは、ZigBeeの規格に従った通信機能、及び、ＢＬＥの規格に従った通信機能の双方を有する。また、端末２０とサーバ３０との間では、Wi-Fiの規格に従った通信方式で無線通信Ｃ３が行われる。
【００１４】
以下では、非常用照明装置１０Ａ〜１０Ｅを特に区別なく説明する場合は「非常用照明装置１０」と記載する。また以下では、非常用ランプ１Ａ〜１Ｅを特に区別なく説明する場合は「非常用ランプ１」と記載する。また以下では、無線通信モジュール２Ａ〜２Ｅを特に区別なく説明する場合は「無線通信モジュール２」と記載する。
【００１５】
また、以下の説明では、無線通信モジュール２Ａと、無線通信モジュール２Ｂ，２Ｃ，２Ｄ，２Ｅの各々との間で無線通信を行う例について記載するが、実施形態は、これに限定されるものではない。例えば、各無線通信モジュール２Ａ〜２Ｅは、無線通信のホッピングを行ってもよい。例えば、無線通信モジュール２Ｃは、非常用照明装置１０Ａ〜１０Ｅの設置位置等の要因により無線通信モジュール２Ａと直接通信を行えない場合は、無線通信モジュール２Ａと直接通信を行える無線通信モジュール２Ｄを介して無線通信モジュール２Ａと通信を行っても良い。
【００１６】
＜非常用照明装置の構成及び動作＞
図２は、実施形態に係る非常用照明装置の構成例を示す図である。図２において、非常用照明装置１０は、非常用ランプ１と、無線通信モジュール２と、制御部３と、非常用電源４と、点検部５と、格納部６と有する。非常用照明装置１０は、商用電源４０に接続されている。以下、マスターである非常用照明装置及びスレーブである非常用照明装置の双方に共通の動作について説明する。
【００１７】
非常用ランプ１は、少なくとも商用電源４０による電力供給が停止した場合に点灯する。
【００１８】
非常用電源４は、商用電源４０による電力供給が停止した場合、非常用ランプ１に電力供給を行う蓄電池（二次電池）である。非常用電源４は、商用電源４０による電力供給時に、制御部３を介して充電可能である。
【００１９】
制御部３は、非常時以外の常時に商用電源４０により非常用電源４を充電し、非常時に非常用ランプ１を非常用電源４により点灯させる。また、制御部３は、常時に無線通信モジュール２、点検部５及び格納部６を商用電源４０により動作させる。なお、制御部３は、無線通信モジュール２を、常時に商用電源４０により動作させ、非常時に非常用電源４により動作させても良い。
【００２０】
無線通信モジュール２は、双方向モードの無線通信により、他の無線通信モジュール２または端末２０と無線通信を行う。
【００２１】
点検部５は、一定の点検周期で非常用電源４の所定の点検を行う。点検部５は、非常用電源４の異常を判断するための点検（以下では「異常点検」と呼ぶことがある）を、法令で定められた所定時間（以下では「法令所定時間」と呼ぶことがある）だけ行う。また、点検部５は、法令で定められた所定期間（以下では「法令所定期間」と呼ぶことがある）を第一の点検周期とし、前回の異常点検から法令所定期間が経過した時点で今回の異常点検を行う。つまり、点検部５は、法令所定期間に従って定期的に、法令所定時間だけ、異常点検を行う。以下では、法令所定期間に従って定期的に法令所定時間だけ行われる異常点検を「法令定期点検」と呼ぶことがある。
【００２２】
さらに、点検部５は、非常用電源４の状態を診断するための点検（以下では「状態診断点検」と呼ぶことがある）を、法令所定時間よりも短い所定時間（以下では「所定短時間」と呼ぶことがある）だけ行う。また、点検部５は、法令所定期間よりも短い所定期間（以下では「所定短期間」と呼ぶことがある）を第二の点検周期とし、前回の状態診断点検から所定短期間が経過した時点で今回の状態診断点検を行う。つまり、点検部５は、所定短期間に従って定期的に、所定短時間だけ、状態診断点検を行う。以下では、所定短期間に従って定期的に所定短時間だけ行われる状態診断点検を「短時間点検」と呼ぶことがある。
【００２３】
このように、点検部５は、第一の点検周期で法令定期点検を行うとともに、第一の点検周期よりも短い第二の点検周期で短時間点検を行う。以下では、法令定期点検と短時間点検とを特に区別なく説明する場合は、単に「点検」と記載する。
【００２４】
例えば、点検部５は、非常用電源４の電圧、電流、温度、放電時間及び放電回数を検知することにより非常用照明装置１０の点検を行い、照明装置ＩＤと、点検日時と、検知した電圧、電流、温度、放電時間及び放電回数とを互いに対応付けて点検結果として格納部６に出力する。また例えば、点検部５は、短時間点検において、所定短時間（例えば１５秒程度）の間、非常用電源４から供給される電力を用いて非常用ランプ１を点灯させ、点灯前後において、非常用電源４が供給する電圧や電流の値を点検結果として格納部６に格納しても良い。例えば１５秒程度の短時間の間の点灯であっても、点灯前後における非常用電源４からの供給電圧や供給電流の値の変化は、非常用電源４の劣化や不良品の検出、交換時期の予測等の状態診断点検に用いることができる。なお、点検部５による非常用電源４の点検の１回当たりの時間は、設計許容範囲内の最小時間に設定されるのが好ましい。
【００２５】
格納部６は、点検部５から入力される点検結果を格納する。例えば、格納部６は、点検結果を時系列に記憶する。格納部の６の容量には制限があるため、格納部６は、例えば、現在日時から遡って３年分の点検結果のみを格納しても良い。
【００２６】
無線通信モジュール２は、点検部５から入力された点検結果を無線送信する。
【００２７】
なお、短時間点検において点検部５または無線通信モジュール２が動作する際に非常用ランプ１が点灯してしまうことを防止するために、非常用照明装置１０は、短時間点検が行われる際にのみ電流が流れる疑似負荷を有しても良い。非常用照明装置１０が疑似負荷を有することで、短時間点検において点検部５または無線通信モジュール２が動作する際には、非常用ランプ１に代えて疑似負荷へと電流が流れる。短時間点検が行われる際には、非常用ランプ１に代えて疑似負荷へと電流が流れることにより、非常用ランプ１が点灯しない状態になる。疑似負荷は、例えば、無線通信モジュール２内に配置される。
【００２８】
＜スレーブの動作＞
次いで、スレーブである非常用照明装置の特有の動作について説明する。スレーブである非常用照明装置１０Ｂ，１０Ｃ，１０Ｄ，１０Ｅの点検部５は、格納部６に格納された点検結果を一定の報告周期で取得して無線通信モジュール２へ出力する。例えば、点検周期が「１日」の場合、点検部５には点検周期より長い報告周期として「１ヶ月」が設定されており、点検部５は、毎月の所定の日時を報告日時とし、該当する１ヶ月分の点検結果（例えば、報告日時が毎月一日の午前１０時である場合、先月１ヶ月分の点検結果）を格納部６から取得して無線通信モジュール２へ出力する。この際、点検部５は、点検結果の送信先を、マスターである非常用照明装置１０Ａとする。つまり、無線通信モジュール２Ｂ〜２Ｅの各々は、毎月の所定の日時に、非常用照明装置１０Ｂ〜１０Ｅの各々における１ヶ月の点検結果を、無線通信モジュール２Ａへ送信する。
【００２９】
＜マスターの動作＞
次いで、マスターである非常用照明装置の特有の動作について説明する。マスターである非常用照明装置１０Ａの無線通信モジュール２Ａは、非常用照明装置１０Ｂ，１０Ｃ，１０Ｄ，１０Ｅの無線通信モジュール２Ｂ，２Ｃ，２Ｄ，２Ｅからそれぞれ送信された１ヶ月の点検結果を受信し、受信した１ヶ月の点検結果を点検部５へ出力する。点検部５は、非常用照明装置１０Ａ（つまり自装置）における点検結果に併せて、非常用照明装置１０Ｂ，１０Ｃ，１０Ｄ，１０Ｅにおける点検結果を格納部６に格納させる。つまり、点検部５は、非常用照明装置１０Ａ〜１０Ｅのすべての非常用照明装置の点検結果を集約して格納部６に格納させる。そして、点検部５は、端末２０からの点検結果取得要求を無線通信モジュール２Ａを介して受信したときに、格納部６に格納されている点検結果、つまり、非常用照明装置１０Ａ〜１０Ｅのすべての非常用照明装置における点検結果を取得して無線通信モジュール２へ出力する。この際、点検部５は、端末２０からの点検結果取得要求に含まれている「取得対象期間」に応じた点検日時の点検結果を取得して無線通信モジュール２へ出力する。また、この際、点検部５は、点検結果の送信先を端末２０とする。
【００３０】
＜端末の動作＞
端末２０は、点検者の操作に応じて、取得対象期間を含む点検結果取得要求をマスターである非常用照明装置１０Ａへ送信し、この点検結果取得要求に応じて非常用照明装置１０Ａから送信された点検結果（つまり、非常用照明装置１０Ａ〜１０Ｅのすべての非常用照明装置における点検結果）を受信する。そして、端末２０は、非常用照明装置１０Ａから受信した点検結果をサーバ３０へ送信する。
【００３１】
なお、端末２０は、マスターである非常用照明装置１０Ａから所定の距離の範囲内に入った場合に、自動的に点検結果取得要求を送信しても良い。また、端末２０は、非常用照明装置１０Ａから受信した点検結果を、端末２０が有するメモリに一旦記憶し、メモリに記憶した点検結果を点検者の操作に応じてサーバ３０へ送信しても良い。
【００３２】
＜サーバの構成及び動作＞
図３は、実施形態に係るサーバの構成例を示す図である。図３において、サーバ３０は、無線通信モジュール３１と、分析部３２と、格納部３３とを有する。
【００３３】
無線通信モジュール３１は、端末２０から送信された点検結果（つまり、非常用照明装置１０Ａ〜１０Ｅのすべての非常用照明装置における点検結果）受信して分析部３２へ出力する。分析部３２は、無線通信モジュール３１から入力された点検結果を格納部３３に格納させる。
【００３４】
また、分析部３２は、格納部３３に格納された点検結果を照明装置ＩＤ毎に分析して非常用照明装置１０Ａ，１０Ｂ，１０Ｃ，１０Ｄ，１０Ｅの各々の非常用電源４の劣化状態を判断し、判断結果を無線通信モジュール３１へ出力するとともに、格納部３３に格納させる。無線通信モジュール３１は、分析部３２による判断結果を端末２０へ送信して端末２０へ通知する。端末２０は、分析部３２による判断結果を受信して、端末２０が有するタッチパネルに表示させる。この際、端末２０のタッチパネルには、分析部３２による判断結果が照明装置ＩＤ毎に表示される。
【００３５】
例えば、分析部３２は、点検結果に含まれる電圧、電流、温度、放電時間及び放電回数のうちの少なくとも一つに基づいて、非常用照明装置１０Ａ，１０Ｂ，１０Ｃ，１０Ｄ，１０Ｅの各々の非常用電源４の劣化状態を判断する。例えば、分析部３２は、所定の点検時に非常用ランプ１を所定の期間点灯させた際において、非常用電源４が出力した電流や電圧の値の減少率に基づいて、非常用電源４の劣化状態を判断しても良い。また例えば、分析部３２は、短時間点検の際に非常用電源４が出力した電流や電圧の値の減少率に基づいて、非常用電源４の劣化状態を判断しても良い。また例えば、分析部３２は、短時間点検の際に非常用電源４が出力した電流や電圧の値の遷移に基づいて、非常用電源４の劣化状態を判断しても良い。また例えば、分析部３２は、短時間点検の際における短時間での放電による充電電流から放電電流への切替によって生じる挙動変化や、放電開始時の短時間の放電レートの挙動変化に基づいて、非常用電源４の劣化状態を判断しても良い。
【００３６】
また例えば、分析部３２は、このようにして判断した非常用電源４の劣化状態に基づいて、さらに、非常用照明装置１０Ａ，１０Ｂ，１０Ｃ，１０Ｄ，１０Ｅの各々について、非常用電源４の交換要否を判断したり、非常用電源４の交換が必要になる将来の時期を判断しても良い。例えば、分析部３２は、非常用電源４の劣化状態に基づいて、非常用照明装置１０Ａ〜１０Ｅの各々が、規定された時間の間、非常用ランプ１を点灯させることができるか否かを判定し、点灯させることができないと判定した場合には、警告を点検者に対して通知しても良い。また例えば、分析部３２は、規定された時間に所定のマージンを考慮した時間の間、非常用ランプ１を点灯させることができるか否かを判定しても良い。また例えば、分析部３２は、非常用電源４が出力する電流や電圧の値に基づいて、非常用ランプ１を所定の明度で点灯されることができるか否かや、非常用ランプ１が所定の照度で照明を行うことができるか否か等を判定しても良い。なお、分析部３２による点検結果の分析は、サーバ３０に対する分析要求に応じて行われても良く、また、予め設定された一定周期で行われても良い。
【００３７】
分析部３２は、法令定期点検のときには点検結果の分析を行わず、短時間点検のときにだけ、点検結果の分析を行っても良い。
【００３８】
なお、制御部３、点検部５及び分析部３２は、例えば、ＣＰＵ，ＤＳＰ，ＦＰＧＡ等のプロセッサや各種のセンサにより実現される。また、格納部６，３３は、例えば、ＲＡＭ（Random  Access  Memory）、フラッシュメモリ等の半導体メモリ素子、または、ハードディスク、光ディスク等の記憶装置によって実現される。
【００３９】
＜スレーブからマスターへの切替＞
上記のように非常用照明装置１０Ａ〜１０Ｅのすべての非常用照明装置の点検結果がマスターである非常用照明装置１０Ａに集約されるため、非常用照明装置１０Ａが故障すると、点検結果を端末２０へ通知することが困難になる。そこで、以下のようにして、マスターである非常用照明装置１０Ａの故障時には、スレーブである非常用照明装置１０Ｂ〜〜１０Ｅの何れかが新たなマスターとなる。
【００４０】
図４は、実施形態に係る照明システムの処理シーケンスの一例を示す図である。また、図５及び図６は、実施形態に係るステータスリストの一例を示す図である。図５及び図６に示すステータスリストは非常用照明装置１０の格納部６に格納されている。このステータスリストでは、照明装置ＩＤと、各非常用照明装置１０のステータスとが対応付けられており、各非常用照明装置１０のステータスが点検部５によって更新される。以下では、非常用照明装置１０Ａの照明装置ＩＤが‘００１’、非常用照明装置１０Ｂの照明装置ＩＤが‘００２’、非常用照明装置１０Ｃの照明装置ＩＤが‘００３’、非常用照明装置１０Ｄの照明装置ＩＤが‘００４’、非常用照明装置１０Ｅの照明装置ＩＤが‘００５’であるとして説明する。
【００４１】
図４において、ステップＳ１１では、非常用照明装置１０Ｂ〜１０Ｅの点検部５は無線通信モジュール２を介して応答要求信号を非常用照明装置１０Ａへ送信する。ステップＳ１１の時点ではステータスリストは図５に示す状態となっているため、図５に示すステータスリストに従って、スレーブである非常用照明装置１０Ｂ〜１０Ｅは、マスターである非常用照明装置１０Ａへ応答要求信号を送信する。
【００４２】
ステップＳ１３では、非常用照明装置１０Ｂ〜１０Ｅからの応答要求信号を受信した非常用照明装置１０Ａでは、応答要求信号に応じて、点検部５が無線通信モジュール２を介して応答信号を非常用照明装置１０Ｂ〜１０Ｅへ送信する。
【００４３】
ステップＳ１５では、非常用照明装置１０Ａからの応答信号を受信した非常用照明装置１０Ｂ〜１０Ｅでは、点検部５が無線通信モジュール２を介して点検結果を非常用照明装置１０Ａへ送信する。
【００４４】
ここで、ステップＳ１７において、非常用照明装置１０Ａに故障が発生したとする。よって、非常用照明装置１０Ａから応答信号を送信することが困難になる。
【００４５】
そこで、ステップＳ１９では、スレーブである非常用照明装置１０Ｂ〜１０Ｅの点検部５は、直近の応答要求信号の送信から所定時間以内にマスターである非常用照明装置１０Ａから応答信号が受信されない場合に、ステータスリストを図５に示す状態から図６に示す状態に更新する。すなわち、非常用照明装置１０Ｂ〜１０Ｅの点検部５は、非常用照明装置１０Ａのステータスを‘マスター’から‘故障’に更新するとともに、正常稼働している非常用照明装置１０Ｂ〜１０Ｅのうちで最も小さい照明装置ＩＤを有する非常用照明装置のステータスを‘スレーブ’から‘マスター’に更新する。この更新により、非常用照明装置１０Ｂ〜１０Ｅでは、非常用照明装置１０Ａに代わって、非常用照明装置１０Ｂが新たなマスターとして認識される。つまり、照明システム１００において、マスターである非常用照明装置１０Ａの故障発生時に、スレーブであった非常用照明装置１０Ｂがマスターに切り替わる。
【００４６】
よって、ステップＳ２１では、非常用照明装置１０Ｃ〜１０Ｅの点検部５は無線通信モジュール２を介して応答要求信号を非常用照明装置１０Ｂへ送信する。ステップＳ２１の時点ではステータスリストは図６に示す状態となっているため、図６に示すステータスリストに従って、スレーブである非常用照明装置１０Ｃ〜１０Ｅは、マスターである非常用照明装置１０Ｂへ応答要求信号を送信する。
【００４７】
ステップＳ２３では、非常用照明装置１０Ｃ〜１０Ｅからの応答要求信号を受信した非常用照明装置１０Ｂでは、応答要求信号に応じて、点検部５が無線通信モジュール２を介して応答信号を非常用照明装置１０Ｃ〜１０Ｅへ送信する。
【００４８】
ステップＳ２５では、非常用照明装置１０Ｂからの応答信号を受信した非常用照明装置１０Ｃ〜１０Ｅでは、点検部５が無線通信モジュール２を介して点検結果を非常用照明装置１０Ｂへ送信する。
【００４９】
＜非常用照明装置の構造＞
図７は、実施形態に係る非常用照明装置の構造例を示す図である。図７（Ａ）は、側面断面図であり、図７（Ｂ）は下面図である。
【００５０】
図７において、非常用照明装置１０は、カバー４１と蓋４２とを有し、カバー４１と蓋４２とにより、非常用照明装置１０の筐体が形成される。非常用ランプ１は、円形の蓋４２の中心付近に、蓋４２を貫通するように配置される。カバー４１と蓋４２とにより形成される筐体の内部空間内には、非常用電源４と、回路基板４３とが配置される。回路基板４３は、商用電源４０及び非常用電源４に接続され、回路基板４３上には、制御部３、点検部５及び格納部６が配置される。また、カバー４１と蓋４２とにより形成される内部空間内に、無線通信モジュール２用の設置スペース４４が設けられ、非常用照明装置１０に対して無線通信モジュール２を後付けすることが可能になっている。このため、回路基板４３は、無線通信モジュール２の接続用のコネクタ４６を有する。無線通信モジュール２がコネクタ４６を介して回路基板４３に接続されることにより、無線通信モジュール２は回路基板４３を介して商用電源４０または非常用電源４から電力を供給される。よって、当初、無線通信モジュール２を有さない非常用照明装置１０でも、コネクタ４６を介して無線通信モジュール２を後付けすることで、点検結果を無線通信することが可能になる。また、カバー４１と蓋４２は、通常、電波が通りにくい金属で形成される。そこで、無線通信モジュール２が後付けされることを考慮して、無線通信モジュール２での電波の送受信の感度を高めるために、電波の送受信用の貫通孔４５を蓋４２に設けると良い。蓋４２における貫通孔４５の位置は、設置スペース４４の直下であることが好ましい。
【００５１】
設置スペース４４に後付けされる無線通信モジュール２は、上記の疑似負荷を有しても良い。無線通信モジュール２が設置スペース４４に設置されると、疑似負荷への電流の流入が可能になる。
【００５２】
なお、後付けの無線通信モジュール２には、点検モニタ、充電モニタ、及び、ランプモニタ等の各種のモニタが付加されても良い。
【００５３】
また、無線通信モジュール２のアンテナを紐状にし、その紐状のアンテナの先端を貫通孔４５から突出させるようにして、無線通信モジュール２の電波の送受信の感度をさらに高めても良い。また、紐状のアンテナが、非常用照明装置１０の点検動作の起動スイッチを兼ね、紐状のアンテナが引っ張られることにより非常用照明装置１０が点検動作を開始しても良い。なお、無線通信モジュール２のアンテナの形状は、紐状に限定されない。すなわち、無線通信モジュール２のアンテナが引っ張られることにより、非常用照明装置１０の点検動作が起動されるとともに、アンテナの先端またはアンテナの所定の範囲が貫通孔４５から非常用照明装置１０の筐体の外部へと露出することで、無線通信に用いる電波の伝播強度を向上させることができるのであれば、アンテナの形状については、任意の形状が採用可能である。
【００５４】
＜点検スケジュール＞
上記の説明では、各非常用照明装置１０の点検部５が一定周期の同一タイミングで自動的に非常用電源４の点検を行う場合について説明した。これに対し、点検部５が自動的に非常用電源４の点検を行うのではなく、例えば、端末２０からの指示に応じて、マスターである非常用照明装置１０Ａがスレーブである非常用照明装置１０Ｂ〜１０Ｅに点検開始信号を送信し、端末２０からの指示と点検開始信号とに応じて、各非常用照明装置１０の点検部５が同一タイミングで一斉に非常用電源４の点検を行っても良い。このように、点検部５が非常用電源４の点検を自動的に行う場合でも、端末２０からの指示や点検開始信号に従って行う場合でも、各非常用照明装置１０の点検部５は非常用電源４の点検を同一タイミングで行うことになる。
【００５５】
これに対し、以下では、非常用照明装置１０Ａ〜１０Ｅを複数のグループにグルーピングし、互いに異なるグループ間では、互いに異なるタイミングで非常用電源４の点検を行う場合について説明する。以下では、非常用照明装置１０Ａの照明装置ＩＤが‘００１’、非常用照明装置１０Ｂの照明装置ＩＤが‘００２’、非常用照明装置１０Ｃの照明装置ＩＤが‘００３’、非常用照明装置１０Ｄの照明装置ＩＤが‘００４’、非常用照明装置１０Ｅの照明装置ＩＤが‘００５’であるとして説明する。
【００５６】
図８は、実施形態に係る点検スケジュールの一例を示す図である。図８に示すように、例えば、照明装置ＩＤが‘００１’，‘００３’，‘００５’の非常用照明装置１０Ａ，１０Ｃ，１０Ｅを第一グループに、照明装置ＩＤが‘００２’，‘００４’の非常用照明装置１０Ｂ，１０Ｄを第二グループにグルーピングする。このとき、互いに隣接する非常用照明装置１０は、互いに異なるグループにグルーピングされると良い。そして、第一グループに属する非常用照明装置１０Ａ，１０Ｃ，１０Ｅの点検スケジュールとして「奇数日」が設定され、非常用照明装置１０Ｂ，１０Ｄの点検スケジュールとして「偶数日」が設定される。この点検スケジュールは格納部６に格納される。そこで、非常用照明装置１０Ａ，１０Ｃ，１０Ｅの点検部５は、点検スケジュールに従って、奇数日に非常用電源４の点検を行う。一方で、非常用照明装置１０Ｂ，１０Ｄの点検部５は、点検スケジュールに従って、偶数日に非常用電源４の点検を行う。つまり、第一グループに属する非常用照明装置１０Ａ，１０Ｃ，１０Ｅと、第二グループに属する非常用照明装置１０Ｂ，１０Ｄとでは、互いに異なるタイミングで非常用電源４の点検が行われる。なお、グルーピングされるグループ数は２つに限定されず、３つ以上であっても良い。
【００５７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。また、これらの実施形態やその変形は、処理内容を矛盾させない範囲で適宜組み合わせることが可能である。
【符号の説明】
【００５８】
１００  照明システム
１０  非常用照明装置
２０  端末
３０  サーバ
１  非常用ランプ
２  無線通信モジュール
３  制御部
４  非常用電源
５  点検部
６  格納部
【図１】
2018055797.tif 000003
【図２】
2018055797.tif 000004
【図３】
2018055797.tif 000005
【図４】
2018055797.tif 000006
【図５】
2018055797.tif 000007
【図６】
2018055797.tif 000008
【図７】
2018055797.tif 000009
【図８】
2018055797.tif 000010